(57)【要約】電子装置（１００）及びその無線給電システム（１０）並びに無線給電方法である。該電子装置（１００）は、内部機能回路（３０）及び無線給電システム（１０）を備える。無線給電システム（１０）は、無線電力送信端（１１）、無線電力受信端（１２）及び電源検出ユニット（１３）を備える。無線電力送信端（１１）は電気的に結合される送信端制御モジュール（１１１）と送信端給電モジュール（１１２）を備える。無線電力受信端（１２）は送信端給電モジュール（１１２）から電力を無線で受信する。電源検出ユニット（１３）は、順に電気的に結合される電力検出モジュール（１３１）、プロセッサー（１３２）及び警報モジュール（１３３）を備える。電力検出モジュール（１３１）は無線電力受信端（１２）から受信した動作電圧を検出し、プロセッサー（１３２）はこの動作電圧とビルトインのプリセット動作電圧範囲とを比較し、この動作電圧が該プリセット動作電圧範囲に位置する時、この動作電圧を内部機能回路（３０）に出力し、この動作電圧が該プリセット動作電圧範囲を超える時、プロセッサー（１３２）は警告信号を発生させて警報モジュール（１３３）に出力する。【選択図】図１
2013529882.tif 000002
【特許請求の範囲】
【請求項１】
内部機能回路を備える電子装置であって、
送信端制御モジュール及び送信結合コイルを有する送信端給電モジュールを含み、該送信端制御モジュールと送信端給電モジュールが電気的に結合される無線電力送信端と、
送信端給電モジュールから無線形式で電力を受信する無線電力受信端と、
順に電気的に結合される電力検出モジュール、プロセッサー及び警報モジュールを含み、電力検出モジュールが無線電力受信端の電力パラメータを検出し、プロセッサーがこの電力パラメータがプリセット範囲を超えると判断した場合、警告信号を発生させて、該警告信号を警報モジュールに出力する電源検出ユニットと、を備える無線給電システムをさらに備えることを特徴とする電子装置。
【請求項２】
該電源検出ユニットはさらに、プロセッサーに電気的に結合される制御調整モジュールを含み、無線電力受信端の電力パラメータが該プリセット範囲を超える時、プロセッサーはさらに調整信号を発生させて、調整信号を制御調整モジュールに出力し、送信端給電モジュールが自動的に給電電力を調整するのを送信端制御モジュールが制御するように、制御調整モジュールは該調整信号に従って制御信号を送信端制御モジュールに出力することを特徴とする請求項１に記載の電子装置。
【請求項３】
送信端給電モジュールが自動的に給電電力を調整するのを該送信端制御モジュールが制御する方式は、送信端制御モジュールの入力電流を調整することにより、送信端給電モジュールの送信結合コイルの共振周波数を調整することであることを特徴とする請求項２に記載の電子装置。
【請求項４】
送信端給電モジュールが自動的に給電電力を調整するのを該送信端制御モジュールが制御する方式は、送信端制御モジュールの入力電圧を調整することにより、送信端給電モジュールの共振幅度を調整することであることを特徴とする請求項２に記載の電子装置。
【請求項５】
該警報モジュールは、送信端給電モジュールが自動的に給電電力を調整する時、プロンプト情報を表示し又はプロンプト音を出力することを特徴とする請求項２に記載の電子装置。
【請求項６】
該警報モジュールは表示ユニット、音声ユニット又は両者の合わせたものを備えることを特徴とする請求項１に記載の電子装置。
【請求項７】
該警報モジュールの音声ユニットはブザーを備えることを特徴とする請求項６に記載の電子装置。
【請求項８】
さらに、内部機能回路及びプロセッサーに電気的に結合される非常電源を備え、無線電力受信端の電力パラメータが該プリセット範囲を超える時、プロセッサーはさらに電力切替信号を発生させて、送信端制御モジュールが送信端給電モジュールを閉めて非常電源に連通するように、該電力切替信号を送信端制御モジュール及び非常電源に出力することを特徴とする請求項１に記載の電子装置。
【請求項９】
非常電源は、電子装置の内部蓄電池、又は商用電力入力に用いられる交流入力回路であることを特徴とする請求項６に記載の電子装置。
【請求項１０】
電気的に結合される送信端制御モジュールと送信端給電モジュールを含む無線電力送信端と、
送信端給電モジュールから無線で電力を受信する無線電力受信端と、
順に電気的に結合される電力検出モジュール、プロセッサー及び警報モジュールを含み、プロセッサーがさらに内部機能回路に電気的に結合され、電力検出モジュールが無線電力受信端から受信した動作電圧を検出し、プロセッサーがこの動作電圧とビルトインのプリセット動作電圧範囲とを比較し、この動作電圧が該プリセット動作電圧範囲に位置する時、プロセッサーがこの動作電圧を内部機能回路に出力し、無線電力受信端が出力した動作電圧が該プリセット動作電圧範囲を超える時、プロセッサーが警告信号を発生させて、警告信号を警報モジュールに出力する電源検出ユニットと、を備える無線給電システム。
【請求項１１】
該電源検出ユニットは、さらにプロセッサーに電気的に結合される制御調整モジュールを含み、無線電力受信端が出力した動作電圧が該プリセット動作電圧範囲を超える時、プロセッサーはさらに調整信号を発生させて、調整信号を制御調整モジュールに出力し、送信端給電モジュールが自動的に給電電力を調整するのを送信端制御モジュールが制御するように、制御調整モジュールは、該調整信号に従って制御信号を送信端制御モジュールに出力することを特徴とする請求項１０に記載の無線給電システム。
【請求項１２】
無線電力受信端が無線電力送信端と誘導して無線電力を発生させるステップと、
電源検出ユニットが無線電力受信端の電力パラメータを検出すステップと、
この電力パラメータとビルトインのプリセット範囲とを比較し、この電力パラメータが該プリセット範囲に位置する時、無線電力受信端の該無線電力を動作電圧として電子装置の内部回路に出力し、無線電力受信端の電力パラメータが該プリセット範囲を超える時、警告信号を発生させて、警告信号を警報モジュールに出力するステップとを含む無線給電方法。
【請求項１３】
無線電力受信端の電力パラメータが該プリセット範囲を超える時、さらに、調整信号を発生させて、調整信号を制御調整モジュールに出力し、送信端給電モジュールが自動的に給電電力を調整するのを送信端制御モジュールが制御するように、制御調整モジュールが該調整信号に従って制御信号を送信端制御モジュールに出力するステップを含むことを特徴とする請求項１２に記載の無線給電方法。
【発明の詳細な説明】
【技術分野】
【０００１】
本発明は、無線給電技術に関し、特に無線給電を採用する電子装置及び該電子装置に使用する無線給電システム及び無線給電方法に関する。
【背景技術】
【０００２】
テレビ等の家庭用電子装置は電源から電力を取得し、通常、導体同士の直接接触により実現する。従って、電子装置は電源を使用する時、例えば、交流電源を使用する時、電源線で電源に接続する必要があり、しかし、電源線の制限で、テレビ等の家庭用電子装置の配置位置が制限され、使用者に大きな不便をもたらす。
【０００３】
現在、磁気結合共振により電力を伝送する無線給電技術が提案されており、それは非放射性磁気結合、即ち、２つの同じ周波数の共振物体が強く相互結合することにより、単層コイルを採用して共同で共振回路を形成し、電磁波を発射することがなく、エネルギーの浪費を減少させる。５周巻き付けた粗い銅線をアンテナのコイルとして使用する際、２メートルの伝送を行う時の効率は約４０％であり、距離が１メートルである時の効率は約９０％に達することができ、これは幅広く応用できる無線給電技術である。
【０００４】
従って、このような無線給電技術を各種の電子装置、例えば、テレビなどの家庭用電子装置に応用できれば、使用者に非常に大きな利便性をもたらし、且つ効率的な電力供給及び低電磁干渉などの目的を達成することができる。安全を保証する前提で、無線給電方式は効果的に部屋の配線の複雑・混乱、家電位置の固定、ソケットによる居室の壁の破壊などの問題を解決し、人々の生活により多くの便利を与える。同時に、無線給電はさらに配線に用いられる銅、プラスチック、ゴム等の材料を大幅に節約し、資源を節約し、汚染を減少させることができ、低炭素で環境にやさしい。
【０００５】
ところが、現在、前記無線給電電源設備のテレビ等の電子装置での応用には、一連の解決すべき問題、例えば、無線給電電源と電子設備の接続の安定性等の問題が存在している。
【発明の概要】
【発明が解決しようとする課題】
【０００６】
本発明は、電力検出機能を有する、電子装置に適用する無線給電システムを提供する。
【０００７】
本発明はさらに、無線給電モードにおいて動作し、電力検出機能を有する電子装置を提供する。
【０００８】
本発明はさらに、電子装置に適用する無線給電方法を提供する。
【課題を解決するための手段】
【０００９】
前記メリットを達成するために、本発明は、内部機能回路及び無線給電システムを備える電子装置を提供する。無線給電システムは、無線電力送信端、無線電力受信端及び電源検出ユニットを備える。無線電力送信端は電気的に結合される送信端制御モジュールと送信端給電モジュールとを含む。無線電力受信端は送信端給電モジュールから無線で電力を受信する。電源検出ユニットは、順に電気的に結合される電力検出モジュール、プロセッサー及び警報モジュールを含み、プロセッサーはさらに内部機能回路に電気的に結合される。電力検出モジュールは無線電力受信端の電力パラメータを検出し、プロセッサーはこの電力パラメータとビルトインのプリセット範囲とを比較し、この電力パラメータが該プリセット範囲に位置する時、プロセッサーは無線電力受信端の電圧を内部機能回路に出力し、無線電力受信端の電力パラメータが該プリセット範囲を超える時、プロセッサーは警告信号を発生させて、警告信号を警報モジュールに出力する。
【００１０】
本発明に係る１つの実施例において、電源検出ユニットはさらに、プロセッサーに電気的に結合される制御調整モジュールを含み、無線電力受信端の電力パラメータがプリセット範囲を超える時、プロセッサーはさらに調整信号を発生させて、調整信号を制御調整モジュールに出力し、送信端給電モジュールが自動的に給電電力を調整するのを送信端制御モジュールが制御するように、制御調整モジュールはこの調整信号に従って制御信号を送信端制御モジュールに出力する。
【００１１】
本発明に係る１つの実施例において、送信端給電モジュールが自動的に給電電力を調整するのを送信端制御モジュールが制御する方式は、送信端制御モジュールの入力電流を調整することにより、送信端制御モジュールの送信結合コイルの共振周波数を調整する。
【００１２】
本発明に係る１つの実施例において、送信端給電モジュールが自動的に給電電力を調整するのを送信端制御モジュールが制御する方式は、送信端制御モジュールの入力電圧を調整することにより、送信端制御モジュールの共振幅度を調整することであるが、これらに限られない。
【００１３】
本発明に係る１つの実施例において、警報モジュールは、送信端給電モジュールが自動的に給電電力を調整する時、プロンプト情報を表示し又はプロンプト音を出力する。
【００１４】
本発明に係る１つの実施例において、警報モジュールは表示ユニット、音声ユニット又は両者の合わせたものを備える。
【００１５】
本発明に係る１つの実施例において、警報モジュールの音声ユニットはブザーである。
【００１６】
本発明に係る１つの実施例において、電子装置はさらに、内部機能回路及びプロセッサー電気的に結合される非常電源を備え、無線電力受信端の電力パラメータが該プリセット範囲を超える時、プロセッサーはさらに電力切替信号を発生させて、送信端制御モジュールが送信端給電モジュールを閉めて非常電源に連通するように、該電力切替信号を送信端制御モジュール及び非常電源に出力する
【００１７】
本発明に係る１つの実施例において、非常電源は、電子装置の内部蓄電池、又は商用電力入力に用いられる交流入力回路である。
【００１８】
本発明はさらに、無線電力送信端、無線電力受信端及び電源検出ユニットを備える無線給電システムを提供する。無線電力送信端は、電気的に結合される送信端制御モジュールと送信端給電モジュールを含む。無線電力受信端は送信端給電モジュールから無線で電力を受信する。電源検出ユニットは、順に電気的に結合される電力検出モジュール、プロセッサー及び警報モジュールを含み、プロセッサーがさらに内部機能回路に電気的に結合される。電力検出モジュールは無線電力受信端から受信した動作電圧を検出し、プロセッサーはこの動作電圧とビルトインのプリセット動作電圧範囲とを比較し、この動作電圧が該プリセット動作電圧範囲に位置する時、プロセッサーはこの動作電圧を内部機能回路に出力し、無線電力受信端が出力した動作電圧が該プリセット動作電圧範囲を超える時、プロセッサーは警告信号を発生させて、警告信号を警報モジュールに出力する。
【００１９】
本発明に係る１つの実施例において、電源検出ユニットは、さらにプロセッサーに電気的に結合される制御調整モジュールを含み、無線電力受信端が出力した動作電圧が該プリセット動作電圧範囲を超える時、プロセッサーはさらに調整信号を発生させて、調整信号を制御調整モジュールに出力し、送信端給電モジュールが自動的に給電電力を調整するのを送信端制御モジュールが制御するように、制御調整モジュールは、該調整信号に従って制御信号を送信端制御モジュールに出力する。
【００２０】
本発明は、無線電力受信端が無線電力送信端と誘導して無線電力を発生させるステップと、電源検出ユニットが無線電力受信端の電力パラメータを検出するステップと、この電力パラメータとビルトインのプリセット範囲とを比較し、この電力パラメータが該プリセット範囲に位置する時、無線電力受信端の該無線電力を動作電圧として電子装置の内部回路に出力し、無線電力受信端の電力パラメータが該プリセット範囲を超える時、警告信号を発生させて、警告信号を警報モジュールに出力するステップとを含む無線給電方法をさらに提案する。
【００２１】
本発明に係る１つの実施例において、無線電力受信端の電力パラメータが該プリセット範囲を超える時、前記無線給電方法は、さらに、調整信号を発生させて、調整信号を制御調整モジュールに出力し、送信端給電モジュールが自動的に給電電力を調整するのを送信端制御モジュールが制御するように、制御調整モジュールが該調整信号に従って制御信号を送信端制御モジュールに出力するステップを含む。
【発明の効果】
【００２２】
本発明は無線給電システムが出力した電力を検出することにより、検出結果に従って、無線給電システムの無線電力出力に対して相応する自動調整を行うとともに、電源モードを切り替え、警報情報を出力し、電子装置に正常な状態で最大限に作業をさせることができ、無線給電電源と電子装置の接続の安定性を向上させ、電子装置の正常な運転に有利で、効率的かつ安定的な電力供給の目的を達成する。
【００２３】
前記説明は、本発明の技術案の概説に過ぎず、より明確に本発明の技術手段を理解するために、明細書の内容に従って実施してもよく、且つ本発明の前記目的と他の目的、特徴及びメリットをより明確にして理解しやくするために、以下、実施例を挙げて、図面と合わせて詳しく説明する。
【図面の簡単な説明】
【００２４】
【図１】図１は本発明に係る１つの好ましい実施例の電子装置の構造ブロック図である。
【図２】図２は本発明に係るもう１つの好ましい実施例の電子装置の構造図である。
【発明を実施するための形態】
【００２５】
本発明が予定の発明の目的を達成するために採用する技術手段及び効果をさらに説明するため、以下、図面及び好ましい実施例を合わせて、本発明に係る立体表示装置の具体的な実施形態、構造、特徴及び効果を以下の通り詳しく説明する。
【００２６】
図１を参照し、図１は本発明に係る第１の実施例の電子装置に関する構造ブロック図を示す。図１に示すように、電子装置１００は、無線給電システム１０の以外、さらに内部回路３０を備え、この内部回路３０は電子装置１００の内部機能回路、例えば、オーディオ・ビデオ処理回路等である。電子装置１００は無線給電モードで、無線給電システム１０が電源電力を提供し電子装置１００の内部回路３０に入力し、電子装置１００に動作電圧を提供する。電子装置１００は、例えば、テレビであるが、これに限られない。
【００２７】
具体的には、無線給電システム１０は、無線電力送信端１１、無線電力受信端１２及び電源検出ユニット１３を備える。そのうち、無線電力送信端１１は、プラグ及びソケットの形で外部電源に接続され、本実施例において、この外部電源は商用電源２０であるが、本発明におけるこの接続方式は無制限である。無線電力送信端１１は電気的に結合される送信端制御モジュール１１１及び送信端給電モジュール１１２を含む。無線電力送信端１１は商用電源２０に電気的に結合され、商用電圧を受信し、処理後、送信端給電モジュール１１２の送信結合コイル（図示していない）と無線電力受信端１２の受信結合コイル（図示していない）を介して共振結合し、これにより、電力を無線電力受信端１２に伝送する。
【００２８】
無線電力受信端１２は受信結合コイルの誘導電圧を動作電圧に変換し、動作電圧を電源検出ユニット１３を介してさらに内部回路３０に出力する。本発明に係る好ましい実施例において、無線電力受信端１２が誘導電圧を動作電圧に変換する過程は、誘導電圧に対して交流−直流の電圧変換、圧力安定、減圧等を行なう過程を含むが、これらに限られない。
【００２９】
電源検出ユニット１３は、電力検出モジュール１３１、プロセッサー１３２、警報モジュール１３３及び制御調整モジュール１３４を含む。そのうち、電力検出モジュール１３１、プロセッサー１３２、警報モジュール１３３は順に電気的に結合される。同時に、プロセッサー１３２は制御調整モジュール１３４及び内部回路３０に電気的に結合される。警報モジュール１３３はさらに表示ユニット（図示していない）、音声ユニット（図示していない）又は両者の合わせたものを備える。そのうち、前記表示ユニットは電子装置１００のディスプレイであってもよく、音声ユニットはブザーであってもよい。
【００３０】
電力検出モジュール１３１は無線電力受信端１２の電力パラメータ（例えば、動作電圧、電流等）を検出し、プロセッサー１３２はこの電力パラメータとビルトインのプリセット範囲とを比較する。本実施例において、該電力パラメータは電圧を例として説明しているが、本発明はこれに限られない。本実施例において、電力検出モジュール１３１は無線電力受信端１２の動作電圧を検出し、プロセッサー１３２はこの動作電圧とビルトインのプリセット動作電圧範囲とを比較する。この動作電圧が該プリセット動作電圧範囲に位置する時、プロセッサー１３２はこの動作電圧を内部回路３０に出力する。そうでなければ、無線電力受信端１２が出力した動作電圧が該プリセット動作電圧範囲における電圧数値より小さい又は大きい時、プロセッサー１３２は警告信号を発生させて、警告信号を警報モジュール１３３に出力する。同時に、プロセッサー１３２は調整信号を発生させて、調整信号を制御調整モジュール１３４に出力する。制御調整モジュール１３４はこの調整信号に従って制御信号を無線電力受信端１２及び送信端制御モジュール１１１に出力する。送信端制御モジュール１１１は送信端給電モジュール１１２が給電電力を調整するように制御する。本発明に係る好ましい実施例において、送信端給電モジュール１１２が給電電力を調整するのを送信端制御モジュール１１１が制御する方式は、送信端制御モジュール１１１の入力電流を調整することにより、送信端制御モジュール１１１の送信結合コイルの共振周波数を調整し、又は送信端制御モジュール１１１の入力電圧を調整することにより、送信端制御モジュール１１２の共振幅度を調整してもよいが、これに限られない。
【００３１】
送信端給電モジュール１１２の送信結合コイルと無線電力受信端１２の受信結合コイルは調整後に再度共振結合され、従って電力検出モジュール１３１に調整後の動作電圧を入力し、これにより、無線電力の自動調整を実現する。この自動調整の過程において、警報モジュール１３３の表示ユニットは、「無線電力自動調整中、しばらくお待ちください」という情報を表示することができ、もちろん、情報内容はこれに限られない。又は、警報モジュール１３３の音声ユニットは１つの予め設定した声音を出力して使用者に注意を促してもよい。
【００３２】
さらに、自動調整が失敗した場合、電子装置１００は自動的にシャットダウンする。
【００３３】
図２を参照し、図２は本発明に係る第２の好ましい実施例の電子装置に関する構造ブロック図を示す。図２に示すように、本発明に係る第２の好ましい実施例の電子装置２００は無線給電システム１０以外、さらに内部回路３０と非常電源４０を備え、非常電源４０は内部回路３０に電気的に結合される。電子装置２００は無線給電モードで、無線給電システム１０が電源電力を提供し電子装置２００の内部回路３０に入力し、電子装置２００に動作電圧を提供する。電子装置１００は、例えばテレビであるが、これに限られない。この内部回路３０は電子装置１００の内部機能回路、例えばオーディオ・ビデオ処理回路等である。
【００３４】
具体的には、無線給電システム１０は、無線電力送信端１１、無線電力受信端１２及び電源検出ユニット１３を備える。そのうち、無線電力送信端１１は、プラグ及びソケットの形で商用電源２０に接続され、本発明において、この接続方式は無制限である。無線電力送信端１１は電気的に結合される送信端制御モジュール１１１及び送信端給電モジュール１１２を含む。無線電力送信端１１は商用電源２０に電気的に結合され、商用電圧を受信し、処理後、送信端給電モジュール１１２の送信結合コイル（図示していない）と無線電力受信端１２の受信結合コイル（図示していない）を介して共振結合し、それによって、電力を無線電力受信端１２に伝送する。
【００３５】
無線電力受信端１２は受信結合コイルの誘導電圧を動作電圧に変換し、動作電圧を電源検出ユニット１３を介してさらに内部回路３０に出力する。本発明に係る好ましい実施例において、無線電力受信端１２が誘導電圧を動作電圧に変換する過程は、誘導電圧に対して交流−直流の電圧変換、圧力安定、減圧等を行なう過程を含むが、これらに限られない。
【００３６】
電源検出ユニット１３は、順に電気的に結合される電力検出モジュール１３１、プロセッサー１３２及び警報モジュール１３３を含む。同時に、プロセッサー１３２は内部回路３０及び非常電源４０に電気的に結合される。警報モジュール１３３はさらに表示ユニット（図示していない）、音声ユニット（図示していない）又は両者の合わせたものを備える。そのうち、前記表示ユニットは電子装置１００のディスプレイであってもよく、音声ユニットはブザーであってもよい。
【００３７】
無線電力受信端１２は受信結合コイルの誘導電圧を動作電圧に変換し、動作電圧を電源検出ユニット１３を介してさらに内部回路３０に出力する。本発明に係る好ましい実施例において、無線電力受信端１２が誘導電圧を動作電圧に変換する過程は、誘導電圧に対して交流−直流の電圧変換、圧力安定、減圧等を行なう過程を含むが、これらに限られない。
【００３８】
電源検出ユニット１３は、電力検出モジュール１３１、プロセッサー１３２、警報モジュール１３３及び制御調整モジュール１３４を含む。そのうち、電力検出モジュール１３１、プロセッサー１３２、警報モジュール１３３は順に電気的に結合される。同時に、プロセッサー１３２は制御調整モジュール１３４及び内部回路３０に電気的に結合される。警報モジュール１３３はさらに表示ユニット（図示していない）、音声ユニット（図示していない）又は両者の合わせたものを備える。そのうち、前記表示ユニットは電子装置１００のディスプレイであってもよく、音声ユニットはブザーであってもよい。
【００３９】
電力検出モジュール１３１は無線電力受信端１２から受信した動作電圧を検出し、プロセッサー１３２はこの動作電圧とビルトインのプリセット動作電圧範囲とを比較する。この動作電圧が該プリセット動作電圧範囲に位置する時、プロセッサー１３２はこの動作電圧を内部回路３０に出力する。そうでなければ、無線電力受信端１２が出力した動作電圧が該プリセット動作電圧範囲における電圧数値より小さい又は大きい時、プロセッサー１３２は警告信号を発生させて、警告信号を警報モジュール１３３に出力する。同時に、プロセッサー１３２は、電力切替信号を発生させて、送信端制御モジュール１１１が送信端給電モジュール１１２を閉めるとともに、非常電源４０に連通し、即ち非常電源４０に切り替えて電子装置２００に給電するように、電力切替信号を送信端制御モジュール１１１及び非常電源４０に出力する。
【００４０】
本発明に係る好ましい実施例において、非常電源４０は、例えば電子装置２００の内部蓄電池、又は商用電力入力に用いられる交流入力回路である。非常電源４０が内部蓄電池である場合、この過程において、警報モジュール１３３の表示ユニットは、「無線電力異常、調整してください」という情報を表示することができ、使用者に注意を促して無線給電システムの無線電力送信端を手動で調整させ、もちろん、情報内容はこれに限られない。又は、警報モジュール１３３の音声ユニットは１つの予め設定した声音を出力して使用者に注意を促してもよい。内部蓄電池がプリセット時間持続したが、無線電力給電システムがまだ正常に戻っていない場合、警報モジュール１３３の表示ユニットは「無線電力異常、シャットダウンしてください」という情報を表示することができ、使用者に注意を促して電子装置２００をシャットダウンさせる。もちろん、警報モジュール１３３の音声ユニットは１つの予め設定した声音を出して使用者に注意を促してもよい。
【００４１】
非常電源４０が商用電力入力に用いられる交流入力回路である場合、この過程において、警報モジュール１３３の表示ユニットは「無線電力異常、電源を切り替えてください」という情報を表示することができ、使用者に注意を促して電子装置２００を手動で商用電力交流給電モードに切り替えさせる。
【００４２】
前記電力異常は、結合共振に問題があって電圧が不安定で又は正常動作電圧より低くなることであってもよく、又は、電圧が環境の影響を受けて突然変異することであってもよい。
【００４３】
前記警報モジュール１３３はインジケーターを含んでもよく、電力異常の時、インジケーター点滅の方式で警告してもよいことが理解できる。
【００４４】
また、当業者は、本発明に係る実施例における無線給電システムの送信端給電モジュール１１２と無線電力受信端１２との間が磁気結合共振方式で電力を伝送することに限らず、他の無線結合方式（例えば、電磁誘導）で電力の伝送を実現してもよいと理解可能である。
【００４５】
本発明は、電気的に結合される送信端制御モジュール１１１と送信端給電モジュール１１１を含む無線電力送信端１１を提供するステップと、送信端給電モジュール１１１と誘導して無線電力を発生させる無線電力受信端１２を提供するステップと、順に電気的に結合される電力検出モジュール１３１、プロセッサー１３２及び警報モジュール１３３を含み、無線電力受信端１２の電力パラメータを検出し、プロセッサー１３２がこの電力パラメータとビルトインのプリセット範囲とを比較し、この電力パラメータが該プリセット範囲に位置する時、プロセッサー１３２が無線電力受信端１２のこの無線電力を動作電圧として電子装置の内部回路３０に出力し、無線電力受信端１２の電力パラメータが該プリセット範囲を超える時、プロセッサー１３２が警告信号を発生させて、警告信号を警報モジュール１３３に出力する電源検出ユニット１３を提供するステップとを含む無線給電方法をさらに提供する。また、無線電力受信端１２の電力パラメータが該プリセット範囲を超える時、前記無線給電方法は、さらに、プロセッサー１３２が調整信号を発生させて、調整信号を制御調整モジュール１３４に出力し、送信端給電モジュール１１２が自動的に給電電力を調整するのを送信端制御モジュール１１１が制御するように、制御調整モジュール１３４が該調整信号に従って制御信号を送信端制御モジュール１１１に出力するステップを含む。
【００４６】
以上に述べたことをまとめれば、本発明に係る実施例は無線給電システムが出力した電力を検出することにより、検出結果に従って、無線給電システムの無線電力出力に対して相応する自動調整を行うとともに、電源モードを切り替え、警報情報を出し、電子装置に正常な状態で最大限に作業をさせることができ、無線給電電源と電子装置の接続の安定性を向上させ、電子装置の正常な運転に有利で、効率的かつ安定的な電力供給の目的を達成する。
【００４７】
以上に述べたのは、本発明に係る実施例に過ぎず、本発明を何ら制限するものではなく、本発明を実施例を用いて以上のように説明したが、本発明を制限するものではなく、当業者は、本発明の技術案から脱逸しない範囲内において、以上に開示した技術内容を利用して、多少の変更または修正が同等の変更である同効果の実施例を作成しても良いが、本発明の技術方案内容から逸脱せず、本発明の技術の本質に基づき、以上の実施例に対して行う如何なる簡単な手直しや同等の変更及び添加は、いずれも本発明の技術案の範囲に属する。
【産業上の利用可能性】
【００４８】
本発明は無線給電システムが出力した電力を検出することにより、検出結果に従って、無線給電システムの無線電力出力に対して相応する自動調整を行うとともに、電源モードを切り替え、警報情報を出力し、電子装置に正常な状態で最大限に作業させることができ、無線給電電源と電子装置の接続の安定性を向上させ、電子装置の正常な運転に有利で、効率的かつ安定的な電力供給の目的を達成する。
【図１】
2013529882.tif 000003
【図２】
2013529882.tif 000004
【国際調査報告】
2013529882.tif 000005
2013529882.tif 000006
2013529882.tif 000007
2013529882.tif 000008
2013529882.tif 000009
2013529882.tif 000010